(57)【要約】      （修正有）【課題】室内の卓上において、風鈴の外部から加わった風力によって風鈴そのものの音と、これと同時に光を発生し、かつ、風力の大きさによって発光強度を変えることのできる卓上風鈴装置を提供する。【解決手段】電子風鈴１は、開口部１０２を有する釣鐘部材１０と、釣鐘部材１０の開口部１０２に近接する皿部１２と、皿部１２上において、釣鐘部材１０の開口部１０２内を運動する球状体１４と、風を感知するセンサー１６と、センサー１６の出力に応じた電気信号を出力する制御装置１８と、制御装置１８が出力する電気信号によって、球状体１４を皿部１２上で動作させる動作手段２０とを含む。動作手段２０が、釣鐘部材１０の開口部１０２を形成する縁１０４に、球状体１４を衝突させることにより風鈴の音色を発生させる。【選択図】図１
0003121672.tif 000002
【実用新案登録請求の範囲】
【請求項１】
開口部を有する釣鐘部材と、
前記釣鐘部材の開口部に近接する皿部と、
前記皿部上において、前記釣鐘部材の開口部内を運動可能な球状体と、
風を感知するセンサと、
前記センサの出力に応じた電気信号を出力する制御装置と、
前記制御装置が出力する電気信号によって、前記球状体を前記皿部上で運動させる動作手段と、を備え、
前記動作手段が、前記釣鐘部材の開口部を形成する縁に前記球状体を衝突させることにより音を発生させる電子風鈴。
【請求項２】
前記縁は、該縁の表面にランダムに分布した突起を有する請求項１に記載された電子風鈴。
【請求項３】
前記球状体は磁性体を含んで形成された請求項１又は２に記載された電子風鈴。
【請求項４】
前記動作手段は、前記皿部の下方に複数のコイルを円周状に配置させ、該複数のコイルから円周方向に順番にコイルを選択し、前記制御装置が出力する電気信号を電源として該コイルに電流を流し、順次逆方向に励磁する請求項１乃至３に記載された電子風鈴。
【請求項５】
前記動作手段は、前記皿部の側方に複数のコイルを円周状に配置させ、該複数のコイルから円周方向に順番にコイルを選択し、前記制御装置が出力する電気信号を電源として該コイルに電流を流し、順次逆方向に励磁する請求項１乃至３に記載された電子風鈴。
【請求項６】
前記皿部は弾性膜であり、
前記皿部の下方に該皿部に対して垂直に配置したシリンダと、
前記シリンダを巻くコイルと、
前記シリンダ内に拘束されて上下に振動する磁性体の振動子と、
を含む請求項１または２に記載された電子風鈴。
【請求項７】
前記動作手段は、前記皿部を回転させる請求項１または２に記載された電子風鈴。
【請求項８】
前記動作手段は、モータと該モータの回転を減速する減速手段を備え、該モータの回転を該減速手段が減速して前記皿部を回転させる請求項７に記載された電子風鈴。
【請求項９】
前記動作手段は、
打撃部と、磁性体で形成される作用部と、前記皿部を貫通して該打撃部と該作用部を連結する軸部とから構成される揺動手段と、
前記揺動手段の前記磁性体で形成される作用部と対向するコイルと、
を含む請求項１または２に記載された電子風鈴。
【請求項１０】
前記皿部は、上下方向に固定された波打つ円盤上に、上下動可能な他の波打つ円盤が重ねられて構成され、
前記動作手段は、前記２つの円盤を逆方向に回転させる請求項１または２に記載された電子風鈴。
【請求項１１】
前記釣鐘部材を支持する支柱と、該支柱を固定する筐体とを有する請求項１乃至１０のいずれかに記載された電子風鈴。
【請求項１２】
前記筐体は、前記制御装置と前記動作手段とを内蔵し、前記センサを装着する請求項１１に記載された電子風鈴。
【請求項１３】
前記釣鐘部材内に前記支柱に取り付けられた発光体ユニットを有し、前記制御装置が出力する電気信号によって該発光体ユニットが発光する請求項１１または１２に記載された電子風鈴。
【請求項１４】
前記発光体ユニットは、発光ダイオードと該発光ダイオードを包覆する光拡散体から構成される請求項１３に記載された電子風鈴。
【請求項１５】
前記釣鐘部材と前記球状体はガラスにより形成された請求項１乃至１４のいずれかに記載された電子風鈴。
【考案の詳細な説明】
【技術分野】
【０００１】
本考案は、風に反応して風鈴の音を再現させる電子風鈴に関するものである。
【背景技術】
【０００２】
都市化及び住宅の密閉化、ビル化の進む現今では、昔故郷で聞いた自然風に揺られて鳴る風鈴の音はめったに聞くことがない。
【０００３】
都市化が進んだ結果、住宅が密集し、風鈴の鳴る音は近所の迷惑になりかねないといった事情や、エアコンの普及により密閉化された室内では風鈴を吊るす余地がないといった事情が考えられる。
【０００４】
従来の風を受けて鳴る風鈴は、上端が固定された紐により吊下げられた釣鐘と、釣鐘を貫通した紐に釣鐘内で取り付けられた振子と、振子に連なって紐の下端にぶら下げられた短冊とから構成される。短冊が風を受けると、短冊に連動して振子が振られ、振子が釣鐘内部に衝突して風鈴独特の音色を生じさせる。
【０００５】
上記のように、自然風を受けて鳴る風鈴を吊るす場所が少なくなった現今では、電子回路を用いて風鈴の音色を再現しようとする試みがなされている。例えば、風鈴を模ってランダムに電子音を発生させる電子風鈴や、マグネットを含む振子をコイルを通してランダムに電気駆動させ、振子を釣鐘内部に衝突させる電子風鈴等が開発されている。
【０００６】
しかし、前者の電子風鈴は、発生する音が電子音であるため違和感を生じるという課題が生じる。また、後者の電子風鈴は自然音は発生させ得るものの単調であり、タイミングがランダムであっても時間が経つと慣れを生じさせ、自然風で鳴る風鈴の音色を再現することはできない。
【０００７】
そこで特許文献１では、上記後者の電子風鈴を改良し、振子の振動パターンを変化させて風鈴音を発生させ、飽きを抑制する電子風鈴を開示している。特許文献１の発明は、パルス幅、パルス周期、パルス数および群パルス周期の４つのパラメータを変化させることによって、振動パターンに変化を与えることができる。
【０００８】
一方特許文献２では、風鈴自体は従来通り、短冊が受ける風により振子が釣鐘内部に衝突して風鈴を鳴らす構成であるが、音と同時に視覚的にも風を観賞し得る風鈴が開示されている。すなわち、特許文献２の発明によれば、振子と釣鐘の衝突する重なり部が、振子表面の発光材料によって発光し、このため、音とともに重なり部を視覚的に観賞することができる。
【０００９】
【特許文献１】特開平１１−１０４３６１号公報
【特許文献１】特開２００１−２０９３８６号公報
【考案の開示】
【考案が解決しようとする課題】
【００１０】
しかし、特許文献２の風鈴は、従来の風鈴のように風を受けて音を鳴らすため、室内では使用できず、吊下げる場所に困るといった問題を解決することができない。また、発光材料によって発光するため、風の強弱の揺らぎを表現することは困難である。
【００１１】
また、特許文献１の発明は、実際に生じる振動や風を検知して鳴るわけではないため、自然の揺らぎを表現することはできない。
【００１２】
そこで本考案は、室内の卓上において、風鈴の外部から加わった風力によって風鈴そのものの音と、これと同時に光を発生し、かつ、上記風力の大きさによって発光強度を変えることのできる卓上風鈴装置を提供する。
【課題を解決するための手段】
【００１３】
本発明にかかる電子風鈴は、開口部を有する釣鐘部材と、前記釣鐘部材の開口部に近接する皿部と、前記皿部上において、前記釣鐘部材の開口部内を運動可能な球状体と、風を感知するセンサと、前記センサの出力に応じた電気信号を出力する制御装置と、前記制御装置が出力する電気信号によって、前記球状体を前記皿部上で運動させる動作手段と、を備え、前記動作手段が、前記釣鐘部材の開口部を形成する縁に前記球状体を衝突させることにより音を発生させる。
【００１４】
本発明にかかる電子風鈴は、前記縁は、該縁の表面にランダムに分布した突起を有することを特徴とする。
【００１５】
本発明にかかる電子風鈴は、前記球状体は磁性体を含んで形成され得る。
【００１６】
本発明にかかる電子風鈴は、前記動作手段は、前記皿部の下方に複数のコイルを円周状に配置させ、該複数のコイルから円周方向に順番にコイルを選択し、前記制御装置が出力する電気信号を電源として該コイルに電流を流し、順次逆方向に励磁する。
【００１７】
本発明にかかる電子風鈴は、前記動作手段は、前記皿部の側方に複数のコイルを円周状に配置させ、該複数のコイルから円周方向に順番にコイルを選択し、前記制御装置が出力する電気信号を電源として該コイルに電流を流し、順次逆方向に励磁してもよい。
【００１８】
本発明にかかる電子風鈴は、前記皿部は弾性膜であり、前記皿部の下方に該皿部に対して垂直に配置したシリンダと、前記シリンダを巻くコイルと、前記シリンダ内に拘束されて上下に振動する磁性体の振動子と、を含み得る。
【００１９】
本発明にかかる電子風鈴は、前記動作手段は、前記皿部を回転させてもよい。あるいは、前記動作手段は、モータと該モータの回転を減速する減速手段を備え、該モータの回転を該減速手段が減速して前記皿部を回転させてもよい。
【００２０】
本発明にかかる電子風鈴は、前記動作手段は、打撃部と、磁性体で形成される作用部と、前記皿部を貫通して該打撃部と該作用部を連結する軸部とから構成される揺動手段と、前記揺動手段の前記磁性体で形成される作用部と対向するコイルと、を含んでもよい。
【００２１】
本発明にかかる電子風鈴は、前記皿部は、上下方向に固定された波打つ円盤上に、上下動可能な他の波打つ円盤が重ねられて構成され、前記動作手段は、前記２つの円盤を逆方向に回転させてもよい。
【００２２】
本発明にかかる電子風鈴は、前記釣鐘部材を支持する支柱と、該支柱を固定する筐体とを有することを特徴とする。前記筐体は、前記制御装置と前記動作手段とを内蔵し、前記センサを装着することが好ましい。
【００２３】
本発明にかかる電子風鈴は、前記釣鐘部材内に前記支柱に取り付けられた発光体ユニットを有し、前記制御装置が出力する電気信号によって該発光体ユニットが発光することを特徴とする。前記発光体ユニットは、発光ダイオードと該発光ダイオードを包覆する光拡散体から構成され得る。
【００２４】
本発明にかかる電子風鈴は、前記釣鐘部材と前記球状体はガラスにより形成されていてもよい。
【考案の効果】
【００２５】
本考案に係る風を検知して鳴る電子風鈴は、風などの振動を検知したセンサの信号が揺らぐ電気信号として動作手段及び発光体ユニットに出力され、当該電気信号の揺らぎに応じて動作し、発光する。このため本考案の電子風鈴は、センサが検知した揺らぎを再現して風鈴の音色を発生することができると同時に、風に揺らぐ発光を実現することができる。
【００２６】
また、本考案に係る風を検知して鳴る電子風鈴によると、電子制御のため室内で生じるわずかな風や振動を検知して風鈴の音色を楽しむことができる。また、天井などから吊り下げる必要がないため、持運びに便利で、卓上において風鈴の音色を楽しめるばかりでなく、風に揺らぐ照明具として用いることもできる。
【考案を実施するための最良の形態】
【００２７】
本考案に係る風を検知して鳴る電子風鈴について図面を用いて説明する。以下簡単のため、本考案の「風を検知して鳴る電子風鈴」を単に「電子風鈴」とよび、また、図面において電子風鈴を構成する共通の要素には、同一の符号を用いて説明する。
【００２８】
図１において、本考案の電子風鈴１は、開口部１０２を有する釣鐘部材１０と、釣鐘部材１０の開口部１０２に近接する皿部１２と、皿部１２上において、釣鐘部材１０の開口部１０２内を運動する球状体１４と、風を感知するセンサ１６と、センサ１６の出力に応じた電気信号を出力する制御装置１８と、制御装置１８が出力する電気信号によって、球状体１４を皿部１２上で動作させる動作手段２０とを含む。動作手段２０が、釣鐘部材１０の開口部１０２を形成する縁１０４に、球状体１４を衝突させることにより風鈴の音色を発生させる。
【００２９】
また電子風鈴１は、釣鐘部材１０を支える支柱２２と、支柱２２を固定する筐体２４とを有する。図１において、支柱２２は、皿部１２を貫通して筐体２４又は筐体２４内の装置に固定されている。センサ１６は筐体２４の内部又は外部に取り付けられ、制御装置１８、動作手段２０は、筐体２４の内部に配置されるのが好ましい。支柱２２は棒状が好ましいがその材質は特に制限されず、筐体２４の形状、材質は特に限定されない。
【００３０】
更に電子風鈴１は、釣鐘部材１０内に支柱２２に取り付けられた発光体ユニット２６を有し、発光体ユニット２６を制御装置１８が出力する電気信号によって発光させる。
【００３１】
釣鐘部材１０は、発光体ユニット２６を覆って皿部１２の上方で支柱２２に支持されており、皿部１２に近接する下端の縁１０４により開口部１０２が形成されている。皿部１２上で転動または滑動等する球状体１４は、縁１０４が形成する開口部１０２によって運動範囲を規制される。
【００３２】
釣鐘部材１０の形状は、縁１０４が球状体１４の運動範囲を規制可能であり、発光体ユニット２６を覆って皿部１２の上方で支柱２２に支持されるのであれば、特に限定されない。図１に示すように球状でもよく、楕円体状、多角柱と多角錐等の組合わせでもよく、その他の形状であってもよい。釣鐘部材１０は支柱２２の上部に固定されてもよく、支柱２２を軸にして回動可能に取り付けられてもよく、支柱２２の上端を支点にして揺動自在に支持されてもよい。
【００３３】
球状体１４は、球が好ましいが、皿部１２上で転動または滑動し得るのであれば、その形状は特に限定されない。
【００３４】
釣鐘部材１０と球状体１４は、釣鐘部材１０の縁１０４に球状体１４が衝突したときに、風鈴の音色を発生させ得る材料で形成される。釣鐘部材１０の縁１０４は、球状体１４が衝突して音を発生させやすくするために、表面にランダムに突起が付けられているのが好ましい。
【００３５】
釣鐘部材１０は、光を透過する材料で形成されてもよく、あるいは、光を通さない陶器等の材料で形成され、光を通すための孔が設けられていてもよい。従って、釣鐘部材１０と球状体１４は例えばガラスや陶器等で形成され得るが、上記のように衝突時に風鈴の音色を発生させる材質であれば、後述する実施の形態等により特に選択される以外は、その材料は限定されない。
【００３６】
皿部１２は、球状体１４が皿部１２上で転動または滑動する際にできるだけ音を発生させない材料で形成されることが好ましい。皿部１２は、支柱２２を貫通させて筐体２４に固定されてもよく、または筐体２４に対して揺動あるいは回動可能に動作手段２０に取り付けられてもよい。また、皿部１２の形状は、釣鐘部材１０の開口部１０２内に球状体１４の運動範囲を制限できるのであれば特に限定されないが、球状体１４が様々な方向に転がるように緩やかな波状であってもよい。皿部１２の形状は、以下実施形態において説明する、動作手段２０によって球状体１４を動作させる方法により選択することができる。
【００３７】
発光体ユニット２６は、ランプ２６２と、ランプ２６２を包覆するランプカバー２６４とから構成される。例えばランプ２６２はＬＥＤであり、ランプカバー２６４は光拡散体
を用いることができる。その他ランプ２６２として白熱電球や竹フィラメントランプなどのその他の照明装置を用いてよく、これを包覆するランプカバー２６４として透明、半透明のフィルム、ガラス等で形成されたカバーを選択してもよい。また、ランプカバー２６４は除いてもよい。
【００３８】
次に、センサ１６と、センサ１６の出力に応じた電気信号を出力する制御装置１８の構成及び動作について説明する。
【００３９】
図３において本考案の電子風鈴１の制御装置１８は、風の強さを検知して当該検知した風の強さに対応した電気信号を出力するセンサ１６、制御装置１８が制御した信号を入力する動作手段２０及び発光体ユニット２６と接続される。
【００４０】
図３のように制御装置１８は、電源１８２と、センサ１６が出力した電気信号に応じてパルス幅を変調しながら当該パルスを発振する信号処理部１８４と、電源１８２及び信号処理部１８４に接続され、電源１８２から入力された電流に信号処理部１８４が発振したパルス信号に応じて電源電圧をスイッチングするスイッチ回路１８６と、を含む。
【００４１】
電源１８２は電池などの直流電源を用いるが、外部から交流電圧を供給する場合は電源１８２は平滑整流回路により直流に変換してもよい。
【００４２】
センサ１６は、例えばコンデンサマイクを用いる。センサ１６は、筐体２４の内部又は外部に固定され、風や接触などの原因により筐体２４を伝わる振動や、あるいは直接風を受けることによる振動を検知して電気信号に変換する。
【００４３】
センサ１６は、２枚の電極が対向し、振動によって２枚の電極の間隔が変化し、電極間の容量が変化する。この容量変化によって、電圧などの電気信号が風等の振動による揺らぎを伴って、センサ１６から制御装置１８の信号処理部１８４に出力される。
【００４４】
センサ１６から出力される電気信号は、センサ１６内で増幅器により増幅して出力してもよい。あるいはセンサ１６は、センサ１６から出力される風以外の信号のカットをおこなうフィルタ回路を備えてもよい。風によるセンサ１６の振動の周波数は数Ｈｚから十数Ｈｚであるので、例えばオペアンプ、抵抗、コンデンサを組み合わせた回路によってバンドパスフィルターを構成し、風による振動周波数以外の信号をカットすることもできる。
【００４５】
信号処理部１８４は、増幅回路１６から受取った信号をＰＷＭ（Pulse  Width  Modulation）制御する。即ち信号処理部１８４は、センサ１６からの信号をＡＤ変換し、変換されたデータに応じてパルス幅を制御する。あるいは、信号処理部１８４は、このようなゆらぎ信号を生成するためにカオス回路を設けても良い。
【００４６】
上記信号処理部１８４によってパルス化されたＰＷＭ制御信号は、ドライブ回路（図示せず）を介してスイッチ回路１８６に出力される。スイッチ回路１８６は、例えばＦＥＴとダイオードで降圧チョッパを構成し、スイッチ回路１８６をオン／オフ制御する。
【００４７】
また、スイッチ回路１８６は、スイッチ回路１８６に入力される電流を平滑化する平滑化フィルタを含んでもよい。平滑化フィルタ２４はコンデンサＣと、コイルＬを含んで構成され、電流の平滑化を行なう。この場合、平滑化フィルタは、スイッチ回路１８６がオンの場合にスイッチ回路１８６から流れ出る電流を平滑化して動作手段２０及び発光体ユニット２６に出力する。スイッチ回路１８６と動作手段２０、発光体ユニット２６の間に、必要に応じてインバータを設け、直流電流を交流電流に変換してもよい。
【００４８】
以上のように、センサ１６が風などの振動を検知した信号は、揺らぐ電気信号として動作手段２０及び発光体ユニット２６に出力され、当該電気信号の揺らぎに応じて動作し、発光体ユニット２６は揺らぐ光を発光する。
【００４９】
上記構成の本発明に係る電子風鈴１のセンサ１６、制御装置１８における、風による揺らぎを再現する動作原理を以下にまとめる。
【００５０】
１）風などによる振動を検知してセンサ１６が備える電極板が振動する。
２）センサ１６は電極板の振動を電気信号に変換し、センサ１６が備える増幅回路により当該電気信号を増幅する。
３）増幅回路により増幅された電気信号を信号処理部１８４がＡＤ変換し、ディジタル信号に変換する。
４）信号処理部１８４は、上記ディジタル信号がある閾値を超えると、一定期間パルス幅を変動させる。
５）スイッチ回路１８６及び平滑化フィルタ２４は、上記パルス幅の変動によって動作手段２０及び発光体ユニット２６に印加される電圧を制御する。
６）上記電圧の変動により、動作手段２０及び発光体ユニット２６は、センサ１６の電極板が検知した揺らぎを再現する。
【００５１】
なお、本発明のセンサ１６及び制御装置１８は、図３に示す回路ブロックと同様の動作をおこなう回路であれば、その他種々の電気・電子部品を使用して構成してもよい。
【００５２】
以下、本考案に係る風を検知して鳴る電子風鈴の動作を、動作手段２０の実施形態に分けて説明する。
【００５３】
第１の実施形態の動作手段２０は、リニアモータ方式である。
【００５４】
図４Ａは、リニアモータ方式を採用した電子風鈴１００１を模式的に表す断面図である。本実施形態において動作手段２０は、スイッチ回路１８６から揺らぐ電気信号が入力される動作電源２０２と、動作電源２０２から供給された交流電流が流れる複数のコイル２０４とから構成される。
【００５５】
複数のコイル２０４は、図４Ｂのように、皿部１２２の中心に対して円状に配列される。複数のコイル２０４は、例えば図４Ａのように皿部１２２に対して垂直に対向し、隣り合うコイル２０４が交互に逆方向に巻かれている。以下便宜のため、複数のコイル２０４はｎ個（ｎ≧２；自然数）のリニアコイルから構成されるものとする。
【００５６】
複数のコイル２０４の上方に配置される皿部１２２は筐体２４に固定され、形状は緩やかにうねる平板状が好ましい。皿部１２２はプラスチックなどの非磁性体で形成され、球状体１４は磁性体を含んで形成される。
【００５７】
動作手段２０は、複数のコイル２０４中でｋ番目（１≦ｋ≦ｎ）のリニアコイルｋを選択する駆動用リニアコイル選択回路を備える。ここでリニアコイルは円状に配列されるため、リニアコイルｎ+１はリニアコイル１を指定するものとする。
【００５８】
スイッチ回路１８６から動作電源２０２に電気信号が入力されると、駆動用リニアコイル選択回路は円周方向に順番にリニアコイルｋを選択し、各リニアコイルを同一方向に流れる揺らぐ電流を順次供給する。
【００５９】
図６Ａに各リニアコイルに流れる電流の様子を示す。図６Ａにおいて、ｋ、ｋ+1等の記号はリニアコイルの番号を示し、横軸は時間、縦軸は電流を表す。また、Ｉｍａｘは，球状体１４とリニアコイルの磁力が反発する場合に、球状体１４に働く重力と、リニアコイルに電流を流して発生する磁力が釣り合うときの電流の大きさである。
【００６０】
上記のように、本実施形態において、隣り合うリニアコイルｋとリニアコイルｋ+1は逆方向に巻かれているので、同一方向の電流が流れると、複数のコイル２０４は順番に反対方向に励磁される。このため、磁性を帯びた球状体１４は、次々に電流が流れるリニアコイルｋに吸着され、皿部１２２の円周方向に回転する。
【００６１】
あるいは、隣り合うリニアコイルｋとリニアコイルｋ+1は同一方向に巻かれていてもよい。この場合、図６Ｂのように、隣り合うリニアコイルに順次逆方向に電流を流すことにより、同様に球状体１４を皿部１２２の円周方向に回転させることができる。
【００６２】
以上のように、駆動用リニアコイル選択回路が順に電流Ｉをリニアコイルに与えつづけると、球状体１４は円運動をし、やがて遠心力により外側に飛ばされて釣鐘部材１０の縁１０４に衝突して風鈴音を発生させる。あるいは、縁１０４の表面にランダムに設けられた突起に衝突したり、皿部１２２の表面形状により方向を変え、Ｉｍａｘより大きい電流の流れるリニアコイル上で浮遊するなどして縁１０４に衝突する。
【００６３】
このように、電子風鈴１００１は、発光体ユニット２６の発光とともに、センサ１６が検知した揺らぎを再現して風鈴の音色を発生させることができる。
【００６４】
なお、本実施形態において、駆動用リニアコイル選択回路はリニアコイルはリニアコイルｋを円周方向に順番に１個づつ選択したが、複数のリニアコイルが同時に選択されてもよい。隣り合う２つ以上のリニアコイルを同時に選択してもよく、同一方向に巻かれたリニアコイルを同時に複数選択してもよく、その他種々の方法でリニアコイルを選択することができる。
【００６５】
上記電子風鈴１００１において複数のコイル２０４は皿部１２２に対して垂直に円状に配列させたが、複数のコイル２０４は図５のように皿部１２２側方に円状に配列してもよい。第２の実施形態の電子風鈴２００１の他の構成は、上記電子風鈴１００１と同様である。
【００６６】
動作手段２０は、上記実施形態と同様に、円周方向に順番にリニアコイルを選択する。制御装置１８が出力する電気信号を電源としてリニアコイルに図６Ａまたは図６Ｂのように電流を流し、順次逆方向に励磁させることにより球状体１４は円運動をし、釣鐘部材１０の縁１０４に衝突して風鈴音を発生させる。
【００６７】
あるいは、リニアコイルに流す電流の大きさは一定であってもよい。例えば、隣り合うリニアコイル２０４が、すべて皿部１２２の中心に向かって同一方向に巻かれているとする。リニアコイル２０４を順次逆方向に励磁させるためには、図７のように隣り合うリニアコイルに順次逆方向に電流を流せばよい。この場合も球状体１４は円運動をし、釣鐘部材１０の縁１０４に衝突して風鈴音を発生させることができる。
【００６８】
なお、上記電子風鈴２００１において複数のコイル２０４を皿部１２２側方に円状に配列したが、複数のコイル２０４は２つであってもよい。図５の断面図に表されるように、リニアコイルを１個ずつ対向させて配置してもよい。
【００６９】
両コイルに揺らぐ電流を交互にあるいは同時に流し、左右に揺らぐ磁界を発生させる。この磁界に力を受けて球状体１４は略左右に運動をし、釣鐘部材１０の縁１０４に衝突すると風鈴音を発生させる。
【００７０】
上記実施形態において、動作手段２０は電磁気力を用いて球状体１４を運動させたが、動作手段２０は機械的手段を含んでもよい。以下の実施形態において、球状体１４は非磁性体とする。
【００７１】
例えば、第３の実施形態の動作手段２０は振動子方式であり、この方式を用いた電子風鈴３００１の模式断面図が８に示されている。
【００７２】
本実施形態において動作手段２０は、皿部１２８の下方に皿部１２８に対して垂直に配置したシリンダと、スイッチ回路１８６から揺らぐ電気信号が入力される動作電源２０２と、動作電源２０２から供給された交流電流が流れ、シリンダ２１２を巻くコイル２１０と、シリンダ２１２内に拘束されて上下に振動する磁性体の振動子２１４とを含む。
磁性体の振動子２１４は、シリンダ２１２内で、ばねによって筐体２４に取り付けられていてもよい。
【００７３】
皿部１２８は、ゴムなどの弾性体からなる弾性膜を用いるが、弾性を持つ薄膜状のものであれば材料はゴムに限定されない。皿部１２８は、端部を筐体２４の開口端などで固定される。
【００７４】
コイル２１０に動作電源２０２から供給された交流電流が流れると、コイル２１０が作る磁界により振動子２１４がシリンダ２１２内で上下に振動する。振動子２１４が弾性膜の皿部１２８に衝突すると皿部１２８が振動し、球状体１４が皿部１２８上で運動する。球状体１４が釣鐘部材１０の縁１０４に衝突すると風鈴音を発生し、上記実施形態の電子風鈴と同様に、センサ１６が検知した揺らぎを再現することができる。
【００７５】
第４の実施形態の動作手段２０は、皿回転方式である。
【００７６】
図９Ａは、皿回転方式を採用した電子風鈴４００１を模式的に表す断面図である。本実施形態において動作手段２０は、スイッチ回路１８６から揺らぐ電気信号が入力される動作電源２０２と、動作電源２０２から電力を得て動作するモータ２１６とを含む。
【００７７】
本実施形態においては、皿部１２は中央部分が周辺部分より低く、中心部には例えば支柱２２が貫通する円筒部が設けられているジョウロ状である。
【００７８】
モータ２１６は、超音波モータのような回転数の小さいモータを用いる場合は、直接ゴム等により皿部１２の円筒部に連結されてもよいが、回転数が大きすぎる場合は、減速手段２１８を介して上記の円筒部に連結される。
【００７９】
本実施形態において、上記減速手段２１８は、例えば図９Ｂに示すように３つの半径の異なるギア２１８ａ、２１８ｂ、２１８ｃで構成される。２１８ａから２１８ｃへと、等間隔の歯数を多くして、モータ２１６の回転を減速する。ギア２１８ａ、２１８ｂ、２１８ｃは摩擦係数の大きいゴムを軸に装着した構成としてもよい。
【００８０】
動作電源２０２から供給された電力によりモータ２１６が回転すると、直接または減速手段２１８を介して皿部１２が回転し、球状体１４が皿部１２８上で運動する。皿部１２の回転によって生じる遠心力によって球状体１４が釣鐘部材１０の縁１０４に衝突すると、風鈴音を発生し、上記実施形態の電子風鈴と同様に、センサ１６が検知した揺らぎを再現することができる。
【００８１】
第５の実施形態の動作手段２０は、パチンコ方式である。
【００８２】
図１０Ａは、パチンコ方式を採用した電子風鈴５００１を模式的に表す断面図である。本実施形態において動作手段２０は、スイッチ回路１８６から揺らぐ電気信号が入力される動作電源２０２と、動作電源２０２から供給された交流電流が流れるコイル２２２と、揺動手段２２０とから構成される。
【００８３】
ここで揺動手段２２０は、皿部１２上で球状体１４を打撃する打撃部と、磁性体で形成される作用部と、皿部１２を貫通して打撃部と作用部を連結する軸部とから構成される。揺動手段２２０が設置された筐体２４の平面図である図１０Ｂに示すように、コイル２２２は、静止時の揺動手段２２０の板状の作用部と略直角となるように配置される。また、揺動手段２２０は軸部を軸として回動可能であり、回動範囲を制限するために、作用部はバネによって筐体２４に連結されていてもよい。
【００８４】
皿部１２の形状は、上記第４の実施形態の皿部１２と同様にジョウロ状が好ましく、筐体２４に固定されている。揺動手段２２０の軸部は、皿部１２の中央に設けられた円筒部を貫通して打撃部と作用部を連結する。揺動手段２２０の打撃部は、皿部１２と近接はするが接触しないように配置される。
【００８５】
コイル２２２に動作電源２０２から供給された交流電流が流れると、コイル２２２が作る磁界により揺動手段２２０の磁性体の作用部が力を受け、揺動手段２２０は軸部を軸として回動する。揺動手段２２０の打撃部が球状体１４と接触すると、球状体１４が皿部１２上で運動する。球状体１４が釣鐘部材１０の縁１０４に衝突すると風鈴音を発生し、上記実施形態の電子風鈴と同様に、センサ１６が検知した揺らぎを再現することができる。
【００８６】
第６の実施形態の動作手段２０は、カム方式である。
【００８７】
図１１Ａは、カム方式を採用した電子風鈴６００１の皿部１３０と動作手段２０の一部を模式的に表す断面図である。本実施形態において動作手段２０は、スイッチ回路１８６から揺らぐ電気信号が入力される動作電源２０２と、動作電源２０２から電力を供給される２つのモータ２２５，２２７と、モータ２２５，２２７とそれぞれ連動する回転子２２４，２２６とから構成される。
【００８８】
図１１Ａに示すように、皿部１３０は円盤Ａと円盤Ｂとが重なって構成される。円盤Ａはモータ２２５及び回転子２２４により一方向に駆動され、円盤Ｂはモータ２２７及び回転子２２６により他方向に回転される。円盤Ｂは上下方向に固定されているが、円盤Ａは上下動可能であり、円盤Ａ上で球状体１４は運動する。
【００８９】
円盤Ａと円盤Ｂは平坦な円盤状ではなく、それぞれ滑らかに波打つ形状とする。図１１Ｂに示すように、回転子２２４は回転すると円盤Ａの内径に設けられたフック２２８に引っ掛かり、円盤Ａを回転させる。
【００９０】
円盤Ａと円盤Ｂはそれぞれ滑らかに波打つ形状であるため、両者が反対方向に回転することにより、円盤Ａはランダムに上下に振動するように回転する。このため動作電源２０２から電力を供給されると、球状体１４が円盤Ａ上で運動し、釣鐘部材１０の縁１０４に衝突すると風鈴音を鳴らすことができる。
【００９１】
以上、本考案に係る風を検知して鳴る電子風鈴の実施形態について説明したが、本考案の電子風鈴はこれら実施形態に限定されるものではない。例えば、筐体にスイッチを設置して、発光体ユニットをON・OFFの切り替え可能としてもよい。あるいは、スイッチの切換えにより、発光体ユニットを風に揺らぐことのない普通の照明として用いてもよい。また、信号処理部にゆらぎ信号を生成するためのカオス回路を設けて、風などの揺らぎを検知するセンサと選択可能としてもよい。
【００９２】
また、皿部は表面に一または複数の突起をつけて、球状体の動きに制限を加えてもよい。あるいは突起を、球状体と衝突した際に音を奏でるように形成してもよく、蛍光色を発光するように形成してもよい。
【００９３】
また、釣鐘部材を支持する方法は、筐体内に収納されるセンサ、制御装置などの配置や、動作手段の実施形態によって種々選択することができる。図１のように支柱により支持してもよく、図２に示すように釣鐘部材を筐体から吊下げてもよく、その他の種々の手段で釣鐘部材を支持することができる。
【００９４】
その他、本考案は、その主旨を逸脱しない範囲で当業者の知識に基づき種々の改良、修正、変更を加えた態様で実施できるものである。
【図面の簡単な説明】
【００９５】
【図１】本考案に係る風を検知して鳴る電子風鈴の断面図である。
【図２】本考案に係る風を検知して鳴る電子風鈴の別の態様の断面図である。
【図３】本考案に係る電子風鈴の電子回路のブロック図である。
【図４Ａ】本考案に係る電子風鈴の第１の実施形態を表す断面図である。
【図４Ｂ】本考案に係る電子風鈴の第１の実施形態を表す斜視図である。
【図５】別のリニアモータ方式を採用した電子風鈴２００１を模式的に表す断面図である。
【図６Ａ】各リニアコイルに流す電流の方向、大きさと時間との関係を表す図である。
【図６Ｂ】各リニアコイルに流す電流の方向、大きさと時間との関係を表す図である。
【図７】各リニアコイルに流す電流の方向、大きさと時間との関係を表す図である。
【図８】振動子方式を用いた電子風鈴の模式断面図である。
【図９Ａ】皿回転方式を採用した電子風鈴を模式的に表す断面図である。
【図９Ｂ】減速手段の正面図である。
【図１０Ａ】パチンコ方式を採用した電子風鈴を模式的に表す断面図である。
【図１０Ｂ】揺動手段が設置された筐体の平面図である。
【図１１Ａ】カム方式を採用した電子風鈴の皿部と動作手段の一部を模式的に表す断面図である。
【図１１Ｂ】円盤Ａ及び回転子の平面図である。
【符号の説明】
【００９６】
１、１００１、２００１、３００１、４００１、５００１、６００１：風を検知して鳴る電子風鈴
１０：釣鐘部材
１０２：開口部
１０４：縁
１２、１２２、１２８、１３０：皿部
１４：球状体
１６：センサ
１８：制御装置
１８２：電源
１８４：信号処理部
１８６：スイッチ回路
２０：動作手段
２０２：動作電源
２０４，２１０、２２２：コイル
２１２：シリンダ
２１４：振動子（磁性体）
２１６、２２５，２２７：モータ
２１８：減速手段
２２：支柱
２２０：揺動手段
２２４、２２６：回転子
２４：筐体
２６：発光体ユニット
２６２：ランプ
２６４：ランプカバー
【図１】
0003121672.tif 000003
【図２】
0003121672.tif 000004
【図３】
0003121672.tif 000005
【図４Ａ】
0003121672.tif 000006
【図４Ｂ】
0003121672.tif 000007
【図５】
0003121672.tif 000008
【図６Ａ】
0003121672.tif 000009
【図６Ｂ】
0003121672.tif 000010
【図７】
0003121672.tif 000011
【図８】
0003121672.tif 000012
【図９Ａ】
0003121672.tif 000013
【図９Ｂ】
0003121672.tif 000014
【図１０Ａ】
0003121672.tif 000015
【図１０Ｂ】
0003121672.tif 000016
【図１１Ａ】
0003121672.tif 000017
【図１１Ｂ】
0003121672.tif 000018